(57)【要約】      （修正有）【課題】簡易な枠体等による洗濯物干を用いて洗濯物を干した場合、干し上がったものを手間ひまかけず取り外せる洗濯物干を提供する。【解決手段】円形を有する枠体２と、前記枠体の形状を保持する十字状の支持体４と、前記支持体の交点位置に設けた引っ掛け手段６と、前記円形の枠体周縁に所定間隔を離して複数個設けた洗濯挟３１〜３nとからなる洗濯物干において、前記円形を有する枠体の内周面には２つの保持体間３A,３Bをスプリングを介して常閉状態とする洗濯挟の一方を固定して設け、前記引っ掛け手段は十字状支持体の交点位置との間にパイプ状の支柱８を設けて接続すると共に、前記支柱には摺動移動する把手９を設け、前記把手の下端と前記各洗濯挟の下端との間には鎖５からなる接続手段にて連結する。このようにすれば把手を上方に引き上げるだけで、一斉に干し物を落下させることができる。【選択図】図１
0003104315.tif 000002
【実用新案登録請求の範囲】
【請求項１】
円形を有する枠体と、前記枠体の形状を保持する十字状の支持体と、前記支持体の交点位置に設けた引っ掛け手段と、前記円形の枠体周縁に所定間隔を離して複数個設けた洗濯挟とからなる洗濯物干において、前記円形を有する枠体の内周面には、２つの保持体間をスプリングを介して常閉状態とする洗濯挟の一方を固定して設け、前記引っ掛け手段は十字状支持体の交点位置との間にパイプ状の支柱を設けて接続すると共に、前記支柱には摺動移動する把手を設け、前記把手の下端と前記各洗濯挟の下端との間には鎖からなる接続手段にて連結したことを特徴とする洗濯物干。
【請求項２】
請求項１記載の洗濯物干において、前記把手はパイプ状の支柱側面に設けたスリット内を、把手と一体に設けた突起が摺動することによりスリット長だけ上下方向に移動することを特徴とする洗濯物干。
【考案の詳細な説明】
【技術分野】
【０００１】
本考案は、洗濯物干、特に小物を洗濯した場合等、軒下に干す時に用いる洗濯物干に関する。
【背景技術】
【０００２】
図３は従来の洗濯物干を示す構成図である。図３において、1は物干本体であり、例えば円形の枠体２の周縁に適当数の洗濯挟３１，３２，・・・３ｎを吊り下げて設けてある。４は十字状に設けた支持棒であり、前記枠体２の形状を保持して機械的強度を保持するためのものである。
【０００３】
５は鎖であって枠体の複数箇所に設けると共に、引っ掛け６の下部に設けた基板７にて束ねるようにしている。又、使用方法は周知のように個々の洗濯挟を指で開いて、その間に干し物を挟んで挟持する。
【考案の開示】
【考案が解決しようとする課題】
【０００４】
上記従来装置によれば、洗濯物の取り付け時は勿論のこと、それが乾いた後の取り外し時にも、個々の洗濯物を各洗濯挟からいちいち取り外さなければならない。そして、これらに要する時間及び手間はばかにならない。
【０００５】
本考案は上記課題を解決するためになされたものであり、洗濯物の取り外しに時間を必要としない洗濯物干を提供することを目的としている。
【課題を解決するための手段】
【０００６】
上記目的を解決するため、本考案の請求項１では、円形を有する枠体と、前記枠体の形状を保持する十字状の支持体と、前記支持体の交点位置に設けた引っ掛け手段と、前記円形の枠体周縁に所定間隔を離して複数個設けた洗濯挟とからなる洗濯物干において、前記円形を有する枠体の内周面には、２つの保持体間をスプリングを介して常閉状態とする洗濯挟の一方を固定して設け、前記引っ掛け手段は十字状支持体の交点位置との間にパイプ状の支柱を設けて接続すると共に、前記支柱には摺動移動する把手を設け、前記把手の下端と前記各洗濯挟の下端との間には鎖からなる接続手段にて連結するようにした。
【０００７】
又、請求項２では請求項１において、前記把手はパイプ状の支柱側面に設けたスリット内を、把手と一体に設けた突起が摺動することによりスリット長だけ上下方向に移動するようにした。
【考案の効果】
【０００８】
以上説明したように、本考案によれば引っ掛けに設けた把手を上方に引き上げるだけの操作で、各洗濯挟の先端の接合部が開放することにより、各洗濯挟が挟持していた洗濯物を一斉に落下させることができるため、個々の洗濯挟を夫々押し開く作業がなく、洗濯物を簡単に取り外すことができる。
【考案を実施するための最良の形態】
【０００９】
図１は本考案の実施の形態を示す構成図であり、図１において図３と同一部分には同一符号を付けて説明を省略する。本実施の形態で新たに設けた構成は、十字状に設けた支持棒の交点部分にパイプ状の支柱８を固定すると共に、その支柱に沿って上下動する把手９を設けたものである。
【００１０】
以下に、その詳細を図２と併せて説明する。なお、図２は支柱８と把手９との関係を示す拡大図であり、中心線からみた断面図として示す。図２において、１０はスリットで、この内部には把手９と一体に設けた突起１１が挿入され、この突起の先端にはストッパー１２が設けられている。
【００１１】
したがって、把手９を握って上方に移動すると、この把手と一体になった突起１１がスリット１０の内部をスライドして上下動する構成を有している。ここで１３は把手の下端に設けた穴であり、この穴と各洗濯挟３１〜３ｎの下端との間は夫々鎖５からなる接続手段にて接続されている。
【００１２】
洗濯挟を図１の３ｎについて説明すると、周知のように２枚の保持部３Ａ、３Ｂを有し、これば図示しないスプリングによって、その長手方向の中央部を支点にして一方端を強固に圧接する構成を有している。図１では圧接部は下端側に設けてある。
【００１３】
そして鎖５は各洗濯挟の圧接部（下端側）に固定される。したがって、この鎖を引っ張ると各洗濯挟の保持部３Ｂは、その中央部を支点としてスプリングに抗して開放し、又、引っ張るのを止めると保持部３Ｂは元の位置に戻って圧接する。
【００１４】
次に操作を説明する。先ず、静止状態（洗濯物を保持しない状態）では把手は自重によってスリット内の最下端に保持されていて各鎖はたるんでおり、各保持部３Ｂは夫々が相互に接合した状態にある。
【００１５】
ここで洗濯物を干す場合には、夫々の洗濯挟を指によって開放し、各洗濯物を保持部３Ａ，３Ｂ間にスプリングによって保持する。又、洗濯物を取り外す時は支柱８を手に持って把手９を上方にスライドすると、穴１３に接続された鎖５が引っ張られて、各保持部３Ｂを開放するため、夫々の洗濯物は一斉に落下する。
【００１６】
上記説明では洗濯物を取外す時は、支柱８を手に持って把手９を上方にスライドする旨を記載したが、これに限定されるものではなく、支柱８の表面上部（把手より上方）に突起（図示してない）を設けておき、これに親指をかけた状態で、その他の４本の指を把手にかけることにより、親指とその他の各指とを縮めるようにすれば前記同様の効果があることは勿論である。
【産業上の利用可能性】
【００１７】
以上により本考案は把手を引っ張るだけの操作で洗濯物を一斉に落下させることが可能であるため、使用者の手間ひまを節約できる。
【図面の簡単な説明】
【００１８】
【図１】本考案による洗濯物干の全体構成図。
【図２】支柱と把手との関係を示す部分拡大図。
【図３】従来の洗濯物干を説明する図。
【符号の説明】
【００１９】
１    物干本体
２    枠体
３１〜３ｎ    洗濯挟
３Ａ，３Ｂ    保持部
４    支持棒
５    鎖
６    引っ掛け
７    基板
８    支柱
９    把手
１０  スリット
１１  突起
１２  ストッパー  
１３  穴
【図１】
0003104315.tif 000003
【図２】
0003104315.tif 000004
【図３】
0003104315.tif 000005